(57)【要約】【課題】前側リングと後側リングとの相対的な回転角度位置を規定できるカメラ用フィルター枠を提供すること。【解決手段】カメラ用フィルター枠１０の後側リング５は、内周側に突出する第２環状突出部分６４を備える。後側内側リング６１は、第２偏光フィルター６０を外周側から同軸に保持する後側環状枠７０と、後側環状枠７０の後端縁から内周側に突出して第２偏光フィルター６０の後方Ｘ２への移動を規制する第２後側ストッパ７１を備える。後側環状枠７０の内周面は、軸線Ｌに沿って一定の径寸法で延びる環状面であり、第２偏光フィルター６０を同軸に保持する後側フィルター保持面７２である。後側環状枠７０の前端７０ａが後側リング５の第２環状突出部分６４に当接するまで捩じ込まれる。【選択図】図５
2018005255.tif 000002
【特許請求の範囲】
【請求項１】
内周側に突出する環状突出部分を備えるリングと、
前記リングの内周側に保持された内側リングと、を有し、
前記内側リングは、光学素子を内周側に保持する環状枠と、前記環状枠の後端縁から内周側に突出して前記光学素子の後方への移動を規制する後側ストッパと、を備え、
前記環状枠の前端から後側ストッパまでの内周面は、前記光学素子を同軸に保持する保持面であり、
前記環状枠の前端は、前記リングの前記環状突出部分に当接していることを特徴とするカメラ用フィルター枠。
【請求項２】
前記環状突出部分と後側ストッパとの間の距離は、前記光学素子の厚さ寸法よりも長く、前記環状突出部と前記後側ストッパとの間で前記光学素子が軸線回りに回転可能に保持されることを特徴とする請求項１に記載のカメラ用フィルター枠。
【請求項３】
前記光学素子を前記保持面に回転不能に固定するための接着剤を有し、
前記環状枠は、外周側から前記保持面に貫通し、前記接着剤が注入された接着剤注入用穴を備えることを特徴とする請求項２に記載のカメラ用フィルター枠。
【請求項４】
前記リングは、前記環状突出部分の後側に雌ネジを備え、
前記内側リングは、その外周面に前記雌ネジと螺合する雄ネジを備えることを特徴とする請求項１から３のうちのいずれか一項に記載のカメラ用フィルター枠。
【請求項５】
前記内側リングと前記リングとを固定する接着剤を備えることを特徴とする請求項１から３のうちのいずれか一項に記載のカメラ用フィルター枠。
【請求項６】
前記環状枠は、前記環状突出部分の半径方向の途中位置から一定の厚さで後方に延びる厚肉部分を備え、
前記雌ネジは、前記厚肉部分の後側に設けられており、
前記厚肉部分は、前記雌ネジとの間に、後方を向く環状後向き面を備え、
前記内側リングは、前方から後方に向かって薄肉リング部分と厚肉リング部分をこの順番に備え、
前記厚肉リング部分の外周面は、前記薄肉リング部分の外周面よりも外周側に位置して前記雄ネジが形成されており、
前記薄肉リング部と前記厚肉リング部分との間には前方を向く環状前向き面を備え、
前記内側リングの前記環状前向き面と前記リングの前記環状後向き面とは、隙間を開けて対向するか、または、当接する、ことを特徴とする請求項４に記載のカメラ用フィルター枠。
【請求項７】
請求項１から６のうちのいずれか一項に記載のカメラ用フィルター枠と、
前記カメラ用フィルター枠に保持された光学素子と、
を有することを特徴とするカメラ用フィルターユニット。
【発明の詳細な説明】
【技術分野】
【０００１】
本発明は、リングと内側リングで光学素子を保持するカメラ用フィルター枠に関する。また、カメラ用フィルター枠により光学素子を保持したカメラ用フィルターユニットに関する。
【背景技術】
【０００２】
偏光フィルターを保持するカメラ用フィルター枠は特許文献１に記載されている。同文献のカメラ用フィルター枠は、偏光フィルターを保持する前側リングと、前側リングを保持する後側リングを備える。前側リングは外周面に内周側に窪む環状凹部を備える。後側リングは内周面に外周側に窪む環状凹部を備える。前側リングと後側リングはそれぞれの環状凹部が半径方向で対向するように組み合わされており、前側リングの環状凹部と後側リングの環状凹部によって形成された環状空間にはワッシャーが挿入されている。ワッシャーは、その外周側部分が後側リングの環状凹部に位置し、その内周側部分が前側リングの環状凹部内に位置している。これにより、前側リングと後側リングはワッシャーをガイドとして軸線回りに相対回転可能となっている。
【先行技術文献】
【特許文献】
【０００３】
【特許文献１】特開２００５−３０１１７２号公報
【発明の概要】
【発明が解決しようとする課題】
【０００４】
本発明の課題は、リングと内側リングで光学素子を保持するカメラ用フィルター枠を提供することにある。また、かかるカメラ用フィルター枠によって光学素子を保持したカメラ用フィルターユニットを提供することにある。
【課題を解決するための手段】
【０００５】
上記の課題を解決するために、本発明のカメラ用フィルター枠は、内周側に突出する環状突出部分を備えるリングと、前記リングの内周側に保持された内側リングと、を有し、前記内側リングは、光学素子を内周側に保持する環状枠と、前記環状枠の後端縁から内周側に突出して前記光学素子の後方への移動を規制する後側ストッパと、を備え、前記環状枠の前端から後側ストッパまでの内周面は、前記光学素子を同軸に保持する保持面であり、前記環状枠の前端は、前記リングの前記環状突出部分に当接していることを特徴とする。
【０００６】
本発明によれば、光学素子は、内側リングの内周側に保持されるとともに、リングの環状突出部分と、内側リングの後側ストッパとの間に保持される。
【０００７】
本発明において、前記環状突出部分と後側ストッパとの間の距離は、前記光学素子の厚さ寸法よりも長く、前記環状突出部と前記後側ストッパとの間で前記光学素子が軸線回りに回転可能に保持されることが望ましい。このようにすれば、光学素子を後側ストッパと環状突出部分によって前後から挟持して回転不能の状態とする場合と比較して、光学素子にかかるストレス（圧力）を小さくすることができる。よって、光学素子に歪みなどが発生することを防止できる。
【０００８】
本発明において、前記光学素子を前記保持面に回転不能に固定するための接着剤を有し、前記環状枠は、外周側から前記保持面に貫通し、前記接着剤が注入された接着剤注入用
穴を備えるものとすることができる。接着剤注入用穴はリングの内周側に保持される内側リングに形成されているので、接着剤注入用穴が外周側に露出してカメラ用フィルター枠の外観を毀損することがない。
【０００９】
本発明において、前記リングは、前記環状突出部分の後側に雌ネジを備え、前記内側リングは、その外周面に前記雌ネジと螺合する雄ネジを備えるものとすることができる。
【００１０】
本発明において、前記内側リングと前記リングとを固定する接着剤を備えるものとすることができる。
【００１１】
本発明において、前記環状枠は、前記環状突出部分の半径方向の途中位置から一定の厚さで後方に延びる厚肉部分を備え、前記雌ネジは、前記厚肉部分の後側に設けられており、前記厚肉部分は、前記雌ネジとの間に、後方を向く環状後向き面を備え、前記内側リングは、前方から後方に向かって薄肉リング部分と厚肉リング部分をこの順番に備え、前記厚肉リング部分の外周面は、前記薄肉リング部分の外周面よりも外周側に位置して前記雄ネジが形成されており、前記薄肉リング部と前記厚肉リング部分との間には前方を向く環状前向き面を備え、前記内側リングの前記環状前向き面と前記リングの前記環状後向き面とは、隙間を開けて対向するか、または、当接する、ものとすることができる。
【００１２】
次に、本発明のカメラ用フィルターユニットは、上記のカメラ用フィルター枠と、前記カメラ用フィルター枠に保持された光学素子と、を有することを特徴とする。
【図面の簡単な説明】
【００１３】
【図１】参考例１のカメラ用フィルターユニットの斜視図である。
【図２】参考例１のカメラ用フィルターユニットの縦断面図と部分拡大断面図である。
【図３】カメラ用フィルターユニットの組立方法の説明図である。
【図４】参考例２のカメラ用フィルターユニットの縦断面図と部分拡大断面図である。
【図５】実施例１のカメラ用フィルターユニットの縦断面図と部分拡大断面図である。
【図６】実施例２のカメラ用フィルターユニットの縦断面図と部分拡大断面図である。
【図７】参考例３のカメラ用フィルターユニットの縦断面図と部分拡大断面図である。
【発明を実施するための形態】
【００１４】
以下に、図面を参照して本発明を適用したカメラ用フィルターユニットを説明する。
【００１５】
（参考例１）
図１は参考例１のカメラ用フィルターユニットの斜視図である。図２（ａ）は図１のカメラ用フィルターユニットの縦断面図であり、図２（ｂ）はその部分拡大断面図である。図１および図２（ａ）に示すように、本例のカメラ用フィルターユニット１は、円盤形状の偏光フィルター（光学素子）２と、偏光フィルター２を同軸に保持する内側リング３と、内側リング３を外周側から同軸に保持する前側リング４と、前側リング４を同軸に保持する後側リング５を備える。前側リング４は内側リング３を介して偏光フィルター２を保持している。後側リング５は前側リング４を軸線Ｌ回りに回転可能に保持している。内側リング３、前側リング４および後側リング５はカメラ用フィルター枠１０を構成している。以下の説明では、内側リング３、前側リング４、後側リング５の軸線Ｌに沿った方向をカメラ用フィルターユニット１の前後方向Ｘとする。また、前後方向Ｘにおいて、前側リング４が位置する側を前側(前方Ｘ１）とし、後側リング５の位置する側を後側（後方Ｘ２）とする。
【００１６】
前側リング４は内側リング３をその前端から露出しない位置に保持している。前側リング４の内周面には、その前端縁から後方Ｘ２に向かって一定幅の領域に雌ネジ１１が設け
られている。雌ネジ１１において内側リング３よりも前側に露出している露出部分はカメラ用フィルターユニット１の前側にキャップやフードを装着するための前側装着部である。後側リング５の外周面には、その後端縁から前方Ｘ１に向かって一定幅の領域に雄ネジ１２が設けられている。雄ネジ１２はカメラ用フィルターユニット１を撮像レンズのレンズ鏡筒やカメラに装着するための後側装着部である。内側リング３、前側リング４および後側リング５はいずれも金属基材から形成されている。本例では、内側リング３、前側リング４および後側リング５はいずれもアルミニウム製である。
【００１７】
（前側リング）
図２（ｂ）に示すように、前側リング４は、軸線Ｌに沿って前後方向Ｘに延びる前側環状板部分１５、前側環状板部分１５の後端部分から内周側に向かって軸線Ｌと直交する半径方向Ｒに延びる前側環状壁部分１６、前側環状壁部分１６の内周側の端部分から軸線Ｌに沿って後方Ｘ２に延びる中間環状板部分１７、中間環状板部分１７の後端部分から内周側に向かって半径方向Ｒに延びる後側環状壁部分（環状壁部分）１８、後側環状壁部分１８の内周側の端部分から後方Ｘ２に延びる後側環状板部分１９、および、後側環状板部分１９の後端部分から外周側に向かって後側環状壁部分１８よりも短い寸法で突出する環状突出部分２０を備える。前側リング４の外周面には、後側環状壁部分１８、後側環状板部分１９および環状突出部分２０によって環状凹部２１が形成されている。
【００１８】
前側環状板部分１５は前方Ｘ１から後方Ｘ２に向かって厚肉部２３と薄肉部２４をこの順番に備える。厚肉部２３は薄肉部２４よりも外周側に突出している。厚肉部２３と薄肉部２４によって前側環状板部分１５の外周面には環状段部２５が形成されている。前側環状板部分１５の内周面には前側装着部となる雌ネジ１１が形成されている。
【００１９】
前側環状壁部分１６は前後方向Ｘの厚さ寸法が一定である。中間環状板部分１７は半径方向Ｒの厚さ寸法が一定である。後側環状壁部分１８は前後方向Ｘの厚さ寸法が一定である。
【００２０】
後側環状板部分１９は後方Ｘ２に向かって外周側に傾斜している。より詳細には、後側環状板部分１９の外周面の前端部分（後側環状壁部分１８に隣り合う部分）には環状溝２７が設けられており、後側環状板部分１９は環状溝２７が形成されている部分が外周側に折り曲げられることによって外周側に傾斜している。すなわち、後側環状板部分１９は環状溝２７が形成されている部分が外周側に折り曲がる折れ曲がり部分となっている。後側環状板部分１９の外周面の後側部分（環状突出部分２０に隣り合う部分）には環状の切り欠き部２８が設けられている。切り欠き部２８は環状溝２７よりも浅い。
【００２１】
環状突出部分２０は後側環状板部分１９と直交する方向に突出している。従って、環状突出部分２０は外周側に向かって前方Ｘ１に延びている。本例では、環状突出部分２０の断面形状は先端側に向かって細くなる台形である。ここで、後側環状壁部分１８、後側環状板部分１９および環状突出部分２０によって形成された環状凹部２１には、後側リング５に設けられた環状突部４５の内周側部分が挿入されている。
【００２２】
（内側リング）
内側リング３は、偏光フィルター２を外周側から同軸に保持する環状枠３１と、環状枠３１の前端縁から内周側に突出して偏光フィルター２の前方Ｘ１への移動を規制する環状の前側ストッパ３２を備える。前側ストッパ３２は環状枠３１に保持された偏光フィルター２の外周縁部分に前方Ｘ１から当接可能である。
【００２３】
環状枠３１の内周面は、軸線Ｌに沿って一定の径寸法で延びる環状面であり、偏光フィルター２を同軸に保持するフィルター保持面３３である。環状枠３１は、前方Ｘ１から後
方Ｘ２に向かって厚肉枠部分３４と薄肉枠部分３５をこの順番に備える。厚肉枠部分３４の外周面は薄肉枠部分３５の外周面よりも外周側に位置しており、これらの間には半径方向Ｒに沿って延びる環状後向き面３４ａが形成されている。厚肉枠部分３４の外周面には、前側リング４の雌ネジ１１と螺合可能な雄ネジ３６が形成されている。薄肉枠部分３５には半径方向Ｒに貫通してフィルター保持面３３に開口する接着剤注入用穴３７が形成されている。
【００２４】
ここで、フィルター保持面３３に偏光フィルター２を保持した状態で環状枠３１の外周側から接着剤注入用穴３７を介して接着剤を注入すれば、この接着剤により偏光フィルター２を内側リング３に固定することができる。なお、接着剤注入用穴３７は１つでもよいが、本例では、薄肉枠部分３５に等角度間隔で複数設けられている。
【００２５】
前側ストッパ３２は環状枠３１の前端縁から内周側に向かって突出する環状突起である。前側ストッパ３２は軸線Ｌと直交する平坦面な環状後端面３２ａを備える。ここで、前側ストッパ３２の環状後端面３２ａから環状枠３１の後端までの幅寸法（フィルター保持面３３の幅寸法Ｗ）は、フィルター保持面３３に保持される偏光フィルター２の厚さ寸法Ｄよりも長い。フィルター保持面３３の前後方向Ｘの幅寸法Ｗと偏光フィルター２の厚さ寸法Ｄの差分は０．０３ｍｍ以下である。
【００２６】
内側リング３は環状枠３１の内周側に偏光フィルター２を保持した状態で前側リング４に前側から挿入される。そして、その雄ネジ３６を前側リング４の雌ネジ１１に螺合させて、環状枠３１の後端が前側リング４の後側環状壁部分１８に当接するまで捩じ込まれる。環状枠３１の後端が後側環状壁部分１８に当接すると、内側リング３の環状後向き面３４ａと前側リング４の前側環状壁部分１６が微小な隙間を開けて前後方向Ｘで対向する。また、環状枠３１の薄肉枠部分３５の外周面と中間環状板部分１７とが半径方向Ｒで微小な隙間を開けて対向する。ここで、環状枠３１の後端が後側環状壁部分１８に当接した状態で前側ストッパ３２と後側環状壁部分１８との間の距離（フィルター保持面３３の幅寸法Ｗ）は、偏光フィルター２の厚さ寸法Ｄよりも長い。従って、前側リング４は、偏光フィルター２を前側ストッパ３２と後側環状壁部分１８との間で軸線Ｌ回りに回転可能に保持する。すなわち、前側ストッパ３２と後側環状壁部分１８は、偏光フィルター２を回転不能に挟持しておらず、偏光フィルター２は接着剤によって内側リング３に回転不能に固定される。ここで、後側環状壁部分１８は偏光フィルター２の後方Ｘ２への移動を阻止する後側ストッパとして機能する。
【００２７】
なお、内側リング３を前側リング４に捩じ込んで環状枠３１の後端を後側環状壁部分１８に当接させたときに、内側リング３の環状後向き面３４ａと前側リング４の前側環状壁部分１６は当接してもよい。
【００２８】
（後側リング）
後側リング５は、軸線Ｌに沿って前後方向Ｘに延びる前側環状板部分４１、前側環状板部分４１の後端部分から内周側に向かって半径方向Ｒに延びる環状壁部分４２、環状壁部分４２の内周側の端部分から軸線Ｌに沿って後方Ｘ２に延びる後側環状板部分４３を備える。前側環状板部分４１は半径方向Ｒの厚さ寸法が一定である。環状壁部分４２の前端面にはグリス保持用凹部４４が形成されている。グリス保持用凹部４４には前側リング４と後側リング５を円滑に摺動させるためのグリスが保持されている。後側環状板部分４３の外周面には後側装着部となる雄ネジ１２が形成されている。後側環状板部分４３の内周面には、内周側に向かって半径方向Ｒに突出する環状突部４５が設けられている。
【００２９】
環状突部４５は矩形の切断形状を備える。環状突部４５はその前後方向Ｘの幅寸法が内周側への突出寸法よりも長い。環状突部４５は、半径方向Ｒから見た場合に雄ネジ１２と
重なる位置に形成されている。
【００３０】
後側リング５が前側リング４を保持した状態では、前側環状板部分４１は前側リング４の環状段部２５に摺動可能に嵌合する。これにより、前側環状板部分４１の外周面４１ａと前側リング４の前側環状板部分１５の厚肉部２３の外周面１５ａは段差なく連続する。環状壁部分４２は前側リング４の前側環状壁部分１６に後方Ｘ２から当接し、後側環状板部分４３は前側リング４の中間環状板部分１７に外周側から当接する。環状突部４５は前側リング４の後側環状壁部分１８に後方Ｘ２から当接する。また、環状突部４５の内周側部分は内側リング３の外周面の環状凹部２１に挿入される。これにより、後側リング５は前側リング４を軸線Ｌ回りに回転自在に保持する。
【００３１】
（カメラ用フィルターユニットの組み立て）
図３はカメラ用フィルターユニット１の組み立て動作の説明図である。カメラ用フィルターユニット１を組み立てる際には、まず、前側リング４と後側リング５を前後方向Ｘから組み合わせて、後側リング５の環状突部４５を前後方向Ｘで前側リング４の後側環状壁部分１８と環状突出部分２０の間に位置させる。
【００３２】
ここで、前側リング４と後側リング５を組み合わせる前の状態では、図３（ａ）に示すように、前側リング４の後側環状板部分１９は軸線Ｌに沿って延びている。従って、環状突出部分２０は後側環状板部分１９の後端部分から半径方向Ｒに突出しており、その外周側端面２０ａは軸線Ｌと平行に延びている。環状溝２７は矩形断面を備える。切り欠き部２８は後方Ｘ２に向かって下方に切り欠かれており、その断面形状は三角形をしている。また、前側リング４と後側リング５を同軸に配置したときに、前側リング４の環状突出部分２０の外周側端面２０ａは、後側リング５の環状突部４５の内周側端面４５ａと同一面上に位置するか、内周側端面４５ａよりも僅かに内周側に位置している。従って、前側リング４と後側リング５を同軸に維持しながら前側リング４と後側リング５を接近させることにより、後側リング５の環状突部４５を前側リング４の後側環状壁部分１８と環状突出部分２０の間に位置させることができる。
【００３３】
次に、図３（ｂ）に示すように、後側リング５の環状突部４５を前側リング４の後側環状壁部分１８に後方Ｘ２から当接させた状態とする。そして、前側リング４の後側環状板部分１９を外周側に折り曲げて（塑性変形させて）、環状突出部分２０を外周側に変位させる。これにより、後側リング５の環状突部４５が前側リング４の環状凹部２１に挿入された状態を形成する。
【００３４】
ここで、前側リング４の後側環状板部分１９を外周側に折り曲げる際には、後側環状板部分１９に半径方向Ｒを内周側から外周側に向かう力を加える。これにより、後側環状板部分１９は、図３（ｃ）に示すように、環状溝２７の形成により薄肉となっている前端側の部分から折れ曲がる。また、後側環状板部分１９が外周側に折れ曲がることにより、環状突出部分２０は、環状突部４５の内周側端面４５ａよりも外周側に突出する。従って、環状突部４５が環状凹部２１に挿入された状態が形成される。なお、切り欠き部２８は、後側環状板部分１９を外周側に折れ曲げたときに後側環状板部分１９と環状突部４５の当接を回避するための逃げ部となっている。
【００３５】
本例では、環状溝２７の形成により後側環状板部分１９の前端に薄肉の部分を設け、この薄肉の部分を外周側に折り曲げている。従って、後側環状板部分１９を比較的弱い力で精度よく折り曲げることができる。これにより、環状突出部分２０を精度よく外周側に変位させることができるので、後側リング５の環状突部４５と前側リング４の環状凹部２１との間の寸法精度を向上させることができる。よって、前側リング４の環状突出部分２０を、後側リング５の環状突部４５の後方Ｘ２で予め設定した微小な間隔Ｇを開けて対峙さ
せることができる。本例では、間隔Ｇを０．０３ｍｍ〜０．１ｍｍの間とすることができる。従って、前側リング４を回転させたときに、前側リング４が後側リング５に対してガタつくことを防止できる。また、前側リング４を後側リング５に対してスムーズに回転させることができる。
【００３６】
その後、内側リング３に後方Ｘ２から偏光フィルター２を挿入して、偏光フィルター２を前側ストッパ３２に当接させる。また、接着剤注入用穴３７から接着剤を注入して内側リング３に偏光フィルター２を固定する。そして、内側リング３を前方Ｘ１から前側リング４に捩じ込み、内側リング３の環状枠３１の後端を前側リング４の後側環状壁部分１８に当接させる。これによりカメラ用フィルターユニット１は完成する。カメラ用フィルターユニット１が完成した状態では、偏光フィルター２は前側ストッパ３２と後側環状壁部分１８との間で軸線Ｌ回りに回転可能な状態で前側リング４に保持されているが、接着剤によって内側リング３に回転不能に固定されている。
【００３７】
なお、内側リング３の環状後向き面３４ａまたは前側リング４の前側環状壁部分１６の前面に接着剤を塗布しておき、この接着剤によって内側リング３を前側リング４に固定してもよい。
【００３８】
（作用効果）
本例によれば、前側リング４は環状凹部２１に挿入された後側リング５の環状突部４５をガイドとして軸線Ｌ回りに回転できる。従って、後側リング５により前側リング４を回転自在に保持するためにワッシャーを用いる必要がない。ここで、後側リング５に設けた環状突部４５をガイドとして前側リング４を回転させた場合には、ガイド（環状突部４５）が歪んだり、ガイド（環状突部４５）の姿勢が変化したりすることがない。また、径方向に拡縮するワッシャーなどと比較して、ガイドとなる環状突部４５は精度よく形成できる。さらに、本例では、環状突出部分２０を精度よく外周側に変位させることができるので、後側リング５の環状突部４５と前側リング４の環状凹部２１との間の寸法精度が高い。これに加えて、前側リング４と後側リング５の間にワッシャーなどの別の部材が介在しないので、前側リング４と後側リング５を精度よく組み合わせることができる。従って、後側リング５に保持された前側リング４をスムーズに回転させることができる。
【００３９】
また、後側リング５の環状突部４５は半径方向Ｒから見た場合に雄ネジ３６と重なる位置に設けられている。従って、環状突部４５と雄ネジ３６を軸線Ｌ方向の異なる位置に形成した場合と比較して、カメラ用フィルター枠１０を前後方向Ｘで短縮できる。
【００４０】
さらに、偏光フィルター２は前側ストッパ３２と後側環状壁部分１８の間で軸線Ｌ回りに回転可能な状態で前側リング４に保持されており、接着剤によって内側リング３に回転不能に固定されている。従って、偏光フィルター２を前側ストッパ３２と後側環状壁部分１８（後側ストッパ）によって前後から挟持して回転不能な状態で前側リング４に保持する場合と比較して、偏光フィルター２にかかるストレス（圧力）を小さくできる。偏光フィルター２にかかるストレスが小さければ、偏光フィルター２に歪みなどが発生することを防止できるので、フルハイビジョンの何倍にもなる高解像度の撮影を行う場合などに、より綺麗な撮影画像や撮影動画を得ることができる。
【００４１】
また、接着剤注入用穴３７は前側リング４の内周側に保持される内側リング３に形成されているので、接着剤注入用穴３７が外周側に露出してカメラ用フィルター枠１０の外観を毀損することがない。
【００４２】
なお、フィルター保持面３３の幅寸法Ｗを偏光フィルター２の厚さ寸法Ｄと同一としておき、環状枠３１の後端を後側環状壁部分１８に当接させたときに偏光フィルター２が前
側ストッパ３２と後側環状壁部分１８との間で回転不能に挟持される構成を採用することもできる。
【００４３】
（参考例２）
図４（ａ）は参考例２のカメラ用フィルターユニットの縦断面図であり、図４（ｂ）はその部分拡大断面図である。図４（ａ）に示すように、本例のカメラ用フィルターユニット１Ａは、円盤形状の偏光フィルター（光学素子）２と、偏光フィルター２を同軸に保持する前側リング４と、前側リング４を軸線Ｌ回りに回転可能に保持する後側リング５を備える。また、カメラ用フィルターユニット１Ａは、前側リング４の内周面に取り付けられて偏光フィルター２の前方Ｘ１への移動を規制する前側ストッパ６を備える。前側リング４、後側リング５および前側ストッパ６はカメラ用フィルター枠１０Ａを構成する。なお、本例のカメラ用フィルターユニット１Ａはカメラ用フィルターユニット１と対応する構成を備えるので、対応する部分には同一の符号を付して説明する。
【００４４】
図４（ａ）に示すように、前側リング４の内周面には、その前端縁から後方Ｘ２に向かって一定幅の領域に雌ネジ１１が設けられている。雌ネジ１１において前側ストッパ６よりも前側で露出している前側部分はカメラ用フィルターユニット１Ａの前側にキャップやフードを装着するための前側装着部である。後側リング５の外周面には、その後端縁から前方Ｘ１に向かって一定幅の領域に雄ネジ３６が設けられている。雄ネジ３６はカメラ用フィルターユニット１Ａを撮像レンズのレンズ鏡筒やカメラに装着するための後側装着部である。前側ストッパ６、前側リング４および後側リング５はいずれも金属基材から形成されており、本例では、前側ストッパ６、前側リング４および後側リング５はアルミニウム製である。
【００４５】
（前側リング）
図４（ｂ）に示すように、前側リング４は、軸線Ｌに沿って前後方向Ｘに延びる前側環状板部分１５、前側環状板部分１５の後端部分に連続して当該前側環状板部分１５の内周側で軸線Ｌに沿って後方Ｘ２に延びる中間環状板部分（保持部）１７、中間環状板部分１７の後端部分から内周側に向かって軸線Ｌと直交する半径方向Ｒに延びる後側環状壁部分（環状壁部分）１８、後側環状壁部分１８の内周側の端部分から後方Ｘ２に延びる後側環状板部分１９、および、後側環状板部分１９の後端部分から外周側に向かって後側環状壁部分１８よりも短い寸法で突出する環状突出部分２０を備える。前側リング４の外周面には、前側環状板部分１５と中間環状板部分１７によって環状段部２５が形成されている。また、前側リング４の外周面には、後側環状壁部分１８、後側環状板部分１９および環状突出部分２０によって環状凹部２１が形成されている。
【００４６】
前側環状板部分１５の内周面には前側装着部となる雌ネジ１１が形成されている。中間環状板部分１７は半径方向Ｒの厚さ寸法が一定である。中間環状板部分１７の内周面（中間環状板部分１７の前端面と後側環状壁部分１８の前端面の間に位置する面）は、軸線Ｌに沿って一定の径寸法で延びる環状面であり、偏光フィルター２を同軸に保持するフィルター保持面１７ａである。フィルター保持面１７ａの幅寸法Ｗは、フィルター保持面１７ａに保持される偏光フィルター２の厚さ寸法Ｄよりも長い。フィルター保持面１７ａの幅寸法Ｗと偏光フィルター２の厚さ寸法Ｄの差分は０．０３ｍｍ以下である。
【００４７】
後側環状壁部分１８は前後方向Ｘの厚さ寸法が一定である。後側環状壁部分１８はフィルター保持面１７ａに保持された偏光フィルター２の後方Ｘ２への移動を規制する後側ストッパとして機能する。
【００４８】
後側環状板部分１９は、後方Ｘ２に向かって外周側に傾斜している。より詳細には、後側環状板部分１９の外周面の前端部分（後側環状壁部分１８に隣り合う部分）には環状溝
２７が設けられており、後側環状板部分１９は、この環状溝２７が形成されている部分が外周側に折り曲げられることにより外周側に傾斜している。後側環状板部分１９の外周面の後側部分（環状突出部分２０に隣り合う部分）には環状の切り欠き部２８が設けられている。切り欠き部２８は環状溝２７よりも浅い。
【００４９】
環状突出部分２０は後側環状板部分１９と直交する方向に突出している。従って、環状突出部分２０は外周側に向かって前方Ｘ１に延びている。本例では、環状突出部分２０の断面形状は先端側に向かって細くなる台形である。ここで、後側環状壁部分１８、後側環状板部分１９および環状突出部分２０によって形成された環状凹部２１には、後側リング５の環状突部４５の内周側部分が挿入されている。
【００５０】
（前側ストッパ）
前側ストッパ６はリング状である。前側ストッパ６は、半径方向Ｒの高さ寸法が前側リングの中間環状板部分１７の半径方向Ｒの高さ寸法（中間環状板部分１７の厚み）よりも長い。また、前側ストッパ６は軸線Ｌと直交する平坦面な環状後端面６ａを備える。前側ストッパ６の外周面には、その全面に、前側リング４の雌ネジ１１と螺合可能な雄ネジ５１が形成されている。前側ストッパ６は、その雄ネジ５１を前側リング４の雌ネジ１１に螺合させて、その環状後端面６ａが中間環状板部分１７の前端面に当接するまで捩じ込まれる。前側ストッパ６が中間環状板部分１７に当接した状態では、前側ストッパ６の内周側の端部分がフィルター保持面１７ａよりも内周側に突出する。従って、前側ストッパ６は、フィルター保持面１７ａに保持された偏光フィルター２の前方Ｘ１への移動を規制できる。
【００５１】
（後側リング）
前側リング４は、軸線Ｌに沿って前後方向Ｘに延びる前側環状板部分（環状部）４１と、前側環状板部分４１の後端部分から内周側に向かって半径方向Ｒに延びる環状壁部分４２、環状壁部分４２の内周側の端部分から軸線Ｌに沿って後方Ｘ２に延びる後側環状板部分４３を備える。前側環状板部分４１は半径方向Ｒの厚さ寸法が一定である。環状壁部分４２の前端面にはグリス保持用凹部４４が形成されている。グリス保持用凹部４４には前側リング４と後側リング５を円滑に摺動させるためのグリスが保持されている。後側環状板部分４３の外周面には後側装着部となる雄ネジ１２が形成されている。
【００５２】
後側環状板部分４３の内周面の前端部分には、内周側に向かって半径方向Ｒに突出する環状突部４５が設けられている。環状突部４５は矩形の切断形状を備える。環状突部４５の前端面は環状壁部分４２の前端面と段差なく連続している。環状突部４５はその前後方向Ｘの幅寸法が内周側への突出寸法よりも長い。環状突部４５は、半径方向Ｒから見た場合に雄ネジ１２と部分的に重なる位置に形成されている。
【００５３】
後側リング５が前側リング４を保持した状態では、前側環状板部分４１は前側リング４の環状段部２５に擦動可能に嵌合している。これにより、前側環状板部分４１の外周面４１ａと前側リング４の前側環状板部分１５の外周面１５ａは段差なく連続している。後側環状板部分４３は前側リング４の中間環状板部分１７の後端面に後方Ｘ２から当接している。環状突部４５は前側リング４の後側環状壁部分１８の後端面に後方Ｘ２から当接している。また、環状突部４５の内周側部分は前側ストッパ６の外周面に設けられた環状凹部２１に挿入されている。これにより、後側リング５は前側リング４を軸線Ｌ回りに回転自在に保持する。
【００５４】
（カメラ用フィルターユニットの組み立て）
カメラ用フィルターユニット１Ａを組み立てる際には、まず、前側リング４と後側リング５を同軸にして前後方向Ｘから組み合わせる。そして、後側リング５の環状突部４５を
前側リング４の外周面の環状凹部２１に挿入する。後側リング５の環状突部４５を前側リング４の外周面の環状凹部２１に挿入する組み立て動作は参考例１のカメラ用フィルター枠１０と同一である。従って、その説明を省略する。
【００５５】
その後、前側リング４に前方Ｘ１から偏光フィルター２を挿入して、偏光フィルター２をフィルター保持面１７ａに保持させる。そして、前側ストッパ６を前方Ｘ１から前側リング４に捩じ込み、前側ストッパ６の環状後端面６ａを前側リング４の中間環状板部分１７に当接させる。これによりカメラ用フィルターユニット１Ａは完成する。カメラ用フィルターユニット１Ａが完成した状態では、偏光フィルター２は前側ストッパ６と後側環状壁部分１８との間で軸線Ｌ回りに回転可能な状態で前側リング４に保持されている。
【００５６】
なお、前側ストッパ６の環状後端面６ａまたは前側リング４の中間環状板部分１７の前端面に接着剤を塗布しておき、この接着剤により前側ストッパ６を前側リング４に固定してもよい。
【００５７】
（作用効果）
本例によれば、前側リング４は環状凹部２１に挿入された後側リング５の環状突部４５をガイドとして軸線Ｌ回りに回転できる。従って、後側リング５により前側リング４を回転自在に保持するためにワッシャーを用いる必要がない。ここで、後側リング５に設けた環状突部４５をガイドとして前側リング４を回転させた場合には、ガイド（環状突部４５）が歪んだり、ガイド（環状突部４５）の姿勢が変化したりすることがない。また、径方向に拡縮するワッシャーなどと比較して、ガイドとなる環状突部４５は精度よく形成できる。さらに、本例では、環状突出部分２０を精度よく外周側に変位させることができるので、後側リング５の環状突部４５と前側リング４の環状凹部２１との間の寸法精度が高い。これに加えて、前側リング４と後側リング５の間にワッシャーなどの別の部材が介在しないので、前側リング４と後側リング５を精度よく組み合わせることができる。従って、後側リング５に保持された前側リング４をスムーズに回転させることができる。
【００５８】
また、後側リング５の環状突部４５は半径方向Ｒから見た場合に雄ネジ５１と重なる位置に設けられているので、環状突部４５と装着部とを軸線Ｌ方向の異なる位置に形成した場合と比較して、カメラ用フィルター枠１０Ａを前後方向Ｘで短縮できる。
【００５９】
さらに、前側リング４は、偏光フィルター２を前側ストッパ６と後側環状壁部分１８との間で軸線Ｌ回りに回転可能に保持している。従って、偏光フィルター２を前側ストッパ６と後側環状壁部分１８（後側ストッパ）によって前後から挟持して回転不能の状態とする場合と比較して、偏光フィルター２にかかるストレス（圧力）を小さくすることができ、偏光フィルター２に歪みなどが発生することを防止できる。
【００６０】
なお、図４（ｂ）に点線で示すように、前側リング４の中間環状板部分１７に、軸線Ｌと交差する方向に貫通してフィルター保持面１７ａに開口する接着剤注入用穴３７を設けることができる。接着剤注入用穴３７を設けた場合には、接着剤注入用穴３７を介して接着剤を注入することにより、偏光フィルター２を前側リング４に固定できる。ここで、中間環状板部分１７は後側リング５の前側環状板部分４１の内周側に位置している。従って、中間環状板部分１７に接着剤注入用穴３７を形成した場合でも、接着剤注入用穴３７が外周側に露出してカメラ用フィルター枠１０の外観を毀損することがない。
【００６１】
また、フィルター保持面１７ａの幅寸法Ｗを偏光フィルター２の厚さ寸法Ｄと同一としておき、偏光フィルター２が前側ストッパ６と後側環状壁部分１８との間で回転不能に挟持される構成を採用することもできる。
【００６２】
（実施例１）
図５（ａ）は実施例１のカメラ用フィルターユニットの縦断面図であり、図５（ｂ）はその部分拡大断面図である。本例のカメラ用フィルターユニット１Ｂは、円盤形状の偏光フィルター（光学素子）２と、偏光フィルター２を同軸に保持する内側リング３と、内側リング３を外周側から同軸に保持する前側リング４と、前側リング４を同軸に保持する後側リング５を備える。また、本例のカメラ用フィルターユニット１Ｂは、円盤形状の第２偏光フィルター（第２の光学素子）６０と、後側リング５に後方から挿入されて、第２偏光フィルター６０を同軸に保持する後側内側リング６１を備える。後側内側リング６１はアルミニウム製である。
【００６３】
前側リング４は内側リング３を介して偏光フィルター２を保持している。後側リング５は後側内側リング６１を介して第２偏光フィルター６０を保持している。また、後側リング５は前側リング４を軸線Ｌ回りに回転可能に保持している。内側リング３、前側リング４、後側リング５および後側内側リング６１はカメラ用フィルター枠１０Ｂを構成している。
【００６４】
ここで、本例のカメラ用フィルターユニット１Ｂにおいて、前側リング４が偏光フィルター２を保持する偏光フィルター２の保持構造は参考例１のカメラ用フィルターユニット１と同様である。また、後側リング５が前側リング４を軸線Ｌ回りに回転可能に保持する前側リング４の保持構造は参考例１、２のカメラ用フィルターユニット１、１Ａと同様である。従って、以下では、後側リング５が第２偏光フィルター６０を保持する保持構造を説明する。また、参考例１のカメラ用フィルターユニット１と共通する部分には、同一の符号を付して、その説明を省略する。なお、本例のカメラ用フィルターユニット１Ｂにおいて、前側リング４が偏光フィルター２を保持する偏光フィルター２の保持構造は参考例２におけるカメラ用フィルターユニット１Ａの保持構造と同一でもよい。
【００６５】
図５に示すように、後側リング５は、前側リング４よりも後方Ｘ２に、内周側に突出する第２環状突出部分（第２の環状突出部分、第２の前側ストッパ）６４を備える。また、後側リング５は第２環状突出部分６４の後側に厚肉部分６５と雌ネジ６６を備える。より具体的には、後側リング５の後側環状板部分４３は、参考例１、２のカメラ用フィルターユニット１、１Ａよりも後方Ｘ２に長く延設されており、その内周面に、第２環状突出部分６４、厚肉部分６５、および、雌ネジ６６を備える。
【００６６】
第２環状突出部分６４は、環状突部４５の後方Ｘ２に離間する位置において、内周側に向かって半径方向Ｒに突出する。前後方向Ｘで環状突部４５と第２環状突出部分６４の間には前側リング４の環状突出部分２０が位置する。厚肉部分６５は第２環状突出部分６４の半径方向Ｒの途中位置から一定の厚さで後方Ｘ２に延びる。第２環状突出部分６４は、厚肉部分６５の外周側に第１環状後向き面６４ａを備える。雌ネジ６６は厚肉部分６５の後方Ｘ２に連続して設けられている。厚肉部分６５は雌ネジ６６との間に第２環状後向き面６５ａを備える。後側リング５の後端部分の外周面（後側環状板部分４３の後端部分の外周面）には後側装着部となる雄ネジ１２が設けられている。
【００６７】
後側内側リング６１は、第２偏光フィルター６０を外周側から同軸に保持する後側環状枠７０と、後側環状枠７０の後端縁から内周側に突出して第２偏光フィルター６０の後方Ｘ２への移動を規制する第２後側ストッパ（第２の後側ストッパ）７１を備える。第２後側ストッパ７１は後側環状枠７０に保持された第２偏光フィルター６０の外周縁部分に後方Ｘ２から当接可能である。後側環状枠７０の内周面は、軸線Ｌに沿って一定の径寸法で延びる環状面であり、第２偏光フィルター６０を同軸に保持する後側フィルター保持面７２である。
【００６８】
また、後側内側リング６１は、前方Ｘ１から後方Ｘ２に向かって薄肉リング部分７３と厚肉リング部分７４をこの順番に備える。厚肉リング部分７４の外周面は薄肉リング部分７３の外周面よりも外周側に位置しており、これらの間には半径方向Ｒに沿って延びる環状前向き面７４ａが形成されている。厚肉リング部分７４の外周面には、後側リング５の雌ネジ６６と螺合可能な雄ネジ７５が形成されている。薄肉リング部分７３には半径方向Ｒに貫通して後側フィルター保持面７２に開口する後側接着剤注入用穴７６が形成されている。ここで、後側フィルター保持面７２に第２偏光フィルター６０を保持した状態で後側環状枠７０の外周側から後側接着剤注入用穴７６を介して接着剤を注入すれば、この接着剤により第２偏光フィルター６０を後側内側リング６１に固定することができる。なお、後側接着剤注入用穴７６は１つでもよいが、本例では、薄肉リング部分７３に等角度間隔で複数設けられている。また、後側接着剤注入用穴７６は省略してもよい。
【００６９】
第２後側ストッパ７１は後側環状枠７０の後端縁から内周側に向かって突出する環状突起である。第２後側ストッパ７１は軸線Ｌと直交する平坦面な環状前端面７１ａを備える。ここで、第２後側ストッパ７１の環状前端面７１ａから後側環状枠７０の前端７０ａまでの幅寸法（後側フィルター保持面７２の幅寸法）Ｗ２は、フィルター保持面３３に保持される第２偏光フィルター６０の厚さ寸法Ｄ２よりも長い。後側フィルター保持面７２の前後方向Ｘの幅寸法Ｗ２と第２偏光フィルター６０の厚さ寸法Ｄ２の差分は０．０３ｍｍ以下である。
【００７０】
後側内側リング６１は後側環状枠７０の内周側に第２偏光フィルター６０を保持した状態で後側リング５に後側から挿入される。そして、その雄ネジ７５を後側リング５の雌ネジ６６に螺合させて、後側環状枠７０の前端７０ａが後側リング５の第２環状突出部分６４（第１環状後向き面６４ａ）に当接するまで捩じ込まれる。後側環状枠７０の前端７０ａが第２環状突出部分６４に当接すると、後側内側リング６１の環状前向き面７４ａと後側リング５の第２環状後向き面６５ａとが微小な隙間を開けて前後方向Ｘで対向する。また、後側環状枠７０の薄肉リング部分７３の外周面と後側リング５の厚肉部分６５とが半径方向Ｒで微小な隙間を開けて対向する。
【００７１】
ここで、後側環状枠７０の前端７０ａが第２環状突出部分６４に当接した状態で第２後側ストッパ７１と第２環状突出部分６４との間の距離（後側フィルター保持面７２の幅寸法）Ｗ２は、第２偏光フィルター６０の厚さ寸法Ｄ２よりも長い。従って、後側リング５は、第２偏光フィルター６０を第２後側ストッパ７１と第２環状突出部分６４との間で軸線Ｌ回りに回転可能に保持する。すなわち、第２後側ストッパ７１と第２環状突出部分６４は、第２偏光フィルター６０を回転不能に挟持しておらず、第２偏光フィルター６０は接着剤によって後側内側リング６１に回転不能に固定される。ここで、第２環状突出部分６４は第２偏光フィルター６０の前方Ｘ１への移動を阻止する第２の前側ストッパとして機能する。
【００７２】
なお、後側内側リング６１を後側リング５に捩じ込んで、後側環状枠７０の前端７０ａを後側リング５の第２環状突出部分６４に当接させたときに、後側内側リング６１の環状前向き面７４ａと後側リング５の第２環状後向き面６５ａとは当接してもよい。
【００７３】
（作用効果）
本例においても、参考例１、２のカメラ用フィルターユニット１、１Ａと同様の作用効果を得ることができる。また、本例では、後側リング５に第２偏光フィルター６０を保持する。従って、本例では、カメラ用フィルター枠１０Ｂに２枚の光学フィルター（偏光フィルター２および第２偏光フィルター６０）を保持できる。さらに、後側リング５は、第２偏光フィルター６０を第２後側ストッパ７１と第２環状突出部分６４との間で軸線Ｌ回りに回転可能に保持する。従って、第２偏光フィルター６０を第２後側ストッパ７１と第
２環状突出部分６４によって前後から挟持して回転不能の状態とする場合と比較して、第２偏光フィルター６０にかかるストレス（圧力）を小さくすることができる。よって、第２偏光フィルター６０に歪みなどが発生することを防止できる。
【００７４】
また、後側接着剤注入用穴７６は後側リング５の内周側に保持される後側内側リング６１に形成されているので、後側接着剤注入用穴７６が外周側に露出してカメラ用フィルター枠１０Ｂの外観を毀損することがない。
【００７５】
なお、後側フィルター保持面７２の幅寸法Ｗ２を第２偏光フィルター６０の厚さ寸法Ｄ２と同一としておき、第２偏光フィルター６０が第２後側ストッパ７１と第２環状突出部分６４との間で回転不能に挟持される構成を採用することもできる。
【００７６】
また、後側リング５の雌ネジ６６および後側内側リング６１の雄ネジ７５を省略し、後側内側リング６１を接着剤により後側リング５の内周側に固定してもよい。
【００７７】
さらに、前側リング４および後側リング５が保持する光学素子は偏光フィルターに限られるものではない。例えば、前側リング４に偏光フィルターを保持し、後側リング５にカラーフィルターを保持することもできる。また、例えば、前側リング４にクロスフィルターを保持し、後側リング５にカラーフィルターを保持することもできる。
【００７８】
（実施例２）
図６（ａ）は実施例２のカメラ用フィルターユニットの縦断面図であり、図６（ｂ）はその部分拡大断面図である。本例のカメラ用フィルターユニット１Ｃは、円盤形状の偏光フィルター（光学素子）２と、偏光フィルター２を同軸に保持する内側リング３と、内側リング３を外周側から同軸に保持する前側リング４と、前側リング４を同軸に保持する後側リング５を備える。また、本例のカメラ用フィルターユニット１Ｃは、円盤形状の第２偏光フィルター（第２の光学素子）６０と、後側リング５に後方Ｘ２から挿入されて、第２偏光フィルター６０を同軸に保持する後側内側リング８１を備える。後側内側リング８１はアルミニウム製である。
【００７９】
前側リング４は内側リング３を介して偏光フィルター２を保持している。後側リング５は後側内側リング８１を介して第２偏光フィルター６０を保持している。また、後側リング５は前側リング４を軸線Ｌ回りに回転可能に保持している。内側リング３、前側リング４、後側リング５および後側内側リング８１はカメラ用フィルター枠１０Ｃを構成している。
【００８０】
ここで、本例のカメラ用フィルターユニット１Ｃにおいて、前側リング４が偏光フィルター２を保持する偏光フィルター２の保持構造は参考例１のカメラ用フィルターユニット１と同様である。また、後側リング５が前側リング４を軸線Ｌ回りに回転可能に保持する前側リング４の保持構造は参考例１、２のカメラ用フィルターユニット１、１Ａと同様である。従って、以下では、後側リング５が第２偏光フィルター６０を保持する保持構造を説明する。また、参考例１のカメラ用フィルターユニット１と共通する部分には、同一の符号を付して、その説明を省略する。なお、本例のカメラ用フィルターユニット１Ｃにおいて、前側リング４が偏光フィルター２を保持する偏光フィルター２の保持構造は参考例２におけるカメラ用フィルターユニット１Ａの保持構造としてもよい。
【００８１】
図６に示すように、後側リング５は、前側リング４よりも後方Ｘ２に、内周側に突出する第２環状突出部分（第２の環状突出部分、第２の前側ストッパ）８４を備える。また、後側リング５は第２環状突出部分８４の後側に雌ネジ８５を備える。より具体的には、後側リング５の後側環状板部分４３は、参考例１、２のカメラ用フィルターユニット１、１
Ａよりも後方Ｘ２に長く延設されており、その内周面に第２環状突出部分８４、および、雌ネジ８５を備える。
【００８２】
第２環状突出部分８４は、環状突部４５の後方Ｘ２に離間する位置において、内周側に向かって半径方向Ｒに突出する。前後方向Ｘで環状突部４５と第２環状突出部分８４の間には前側リング４の環状突出部分２０が位置する。雌ネジ８５は第２環状突出部分８４の後方Ｘ２に連続して設けられている。第２環状突出部分８４は雌ネジ８５との間に環状後向き面８４ａを備える。後側リング５の後端部分の外周面（後側環状板部分４３の後端部分の外周面）には後側装着部となる雄ネジ１２が設けられている。
【００８３】
後側内側リング８１は、第２偏光フィルター６０を外周側から同軸に保持する後側環状枠８６と、後側環状枠８６の後端縁から内周側に突出して第２偏光フィルター６０の後方Ｘ２への移動を規制する第２後側ストッパ（第２の後側ストッパ）８７を備える。第２後側ストッパ８７は後側環状枠８６に保持された第２偏光フィルター６０の外周縁部分に後方Ｘ２から当接可能である。後側環状枠８６の内周面は、軸線Ｌに沿って一定の径寸法で延びる環状面であり、第２偏光フィルター６０を同軸に保持する後側フィルター保持面８８である。後側内側リング８１の外周面には、後側リング５の雌ネジ８５と螺合可能な雄ネジ８９が形成されている。
【００８４】
後側環状枠８６には、半径方向Ｒに貫通して後側フィルター保持面８８に開口する後側接着剤注入用穴９０が形成されている。ここで、後側フィルター保持面８８に第２偏光フィルター６０を保持した状態で後側環状枠８６の外周側から後側接着剤注入用穴９０を介して接着剤を注入すれば、この接着剤により第２偏光フィルター６０を後側内側リング８１に固定することができる。なお、後側接着剤注入用穴９０は１つでもよいが、本例では、薄肉リング部分７３に等角度間隔で複数設けられている。また、後側接着剤注入用穴９０は省略してもよい。
【００８５】
第２後側ストッパ８７は後側環状枠８６の後端縁から内周側に向かって突出する環状突起である。第２後側ストッパ８７は軸線Ｌと直交する平坦面な環状前端面８７ａを備える。ここで、第２後側ストッパ８７の環状前端面８７ａから後側環状枠８６の前端８６ａまでの幅寸法（後側フィルター保持面８８の幅寸法）Ｗ２は、フィルター保持面３３に保持される第２偏光フィルター６０の厚さ寸法Ｄ２よりも長い。後側フィルター保持面８８の前後方向Ｘの幅寸法Ｗ２と第２偏光フィルター６０の厚さ寸法Ｄ２の差分は０．０３ｍｍ以下である。
【００８６】
後側内側リング８１は後側環状枠８６の内周側に第２偏光フィルター６０を保持した状態で後側リング５に後側から挿入される。そして、その雄ネジ８９を後側リング５の雌ネジ８５に螺合させて、後側環状枠８６の前端８６ａが後側リング５の第２環状突出部分８４（環状後向き面８４ａ）に当接するまで捩じ込まれる。
【００８７】
ここで、後側環状枠８６の前端８６ａが第２環状突出部分８４に当接した状態で第２後側ストッパ８７と第２環状突出部分８４との間の距離（後側フィルター保持面９５の幅寸法）Ｗ２は、第２偏光フィルター６０の厚さ寸法Ｄ２よりも長い。従って、後側リング５は、第２偏光フィルター６０を第２後側ストッパ８７と第２環状突出部分８４との間で軸線Ｌ回りに回転可能に保持する。すなわち、第２後側ストッパ８７と第２環状突出部分８４は、第２偏光フィルター６０を回転不能に挟持しておらず、第２偏光フィルター６０は接着剤によって後側内側リング８１に回転不能に固定される。ここで、第２環状突出部分８４は第２偏光フィルター６０の前方Ｘ１への移動を阻止する第２の前側ストッパとして機能する。
【００８８】
（作用効果）
本例においても、参考例１、２のカメラ用フィルターユニット１、１Ａと同様の作用効果を得ることができる。また、本例では、後側リング５に第２偏光フィルター６０を保持する。すなわち、本例では、カメラ用フィルター枠１０Ｃに２枚の光学フィルターを保持できる。さらに、後側リング５は、第２偏光フィルター６０を第２後側ストッパ８７と第２環状突出部分８４との間で軸線Ｌ回りに回転可能に保持する。従って、第２偏光フィルター６０を第２後側ストッパ８７と第２環状突出部分８４によって前後から挟持して回転不能の状態とする場合と比較して、第２偏光フィルター６０にかかるストレス（圧力）を小さくすることができる。よって、第２偏光フィルター６０に歪みなどが発生することを防止できる。
【００８９】
また、後側接着剤注入用穴９０は後側リング５の内周側に保持される後側内側リング８１に形成されているので、後側接着剤注入用穴９０が外周側に露出してカメラ用フィルター枠１０Ｃの外観を毀損することがない。
【００９０】
なお、後側フィルター保持面８８の幅寸法Ｗ２を第２偏光フィルター６０の厚さ寸法Ｄ２と同一としておき、第２偏光フィルター６０が第２後側ストッパ８７と第２環状突出部分８４との間で回転不能に挟持される構成を採用することもできる。また、後側内側リング８１は接着剤により後側リング５の内周側に固定されていてもよい。さらに、前側リング４および後側リング５が保持する光学素子は偏光フィルターに限られるものではない。
【００９１】
（参考例３）
図７（ａ）は参考例３のカメラ用フィルターユニットの縦断面図であり、図５（ｂ）はその部分拡大断面図である。本例のカメラ用フィルターユニット１Ｄは、円盤形状の偏光フィルター（光学素子）２と、偏光フィルター２を同軸に保持する内側リング３と、内側リング３を外周側から同軸に保持する前側リング４と、前側リング４を同軸に保持する後側リング５を備える。また、本例のカメラ用フィルターユニット１Ｄは、円盤形状の第２偏光フィルター（第２の光学素子）６０と、後側リング５に後方Ｘ２から挿入されて、第２偏光フィルター６０の後方Ｘ２への移動を規制する第２後側ストッパ９１を備える。第２後側ストッパ９１はアルミニウム製である。
【００９２】
前側リング４は内側リング３を介して偏光フィルター２を保持している。後側リング５は第２偏光フィルター６０を保持している。また、後側リング５は前側リング４を軸線Ｌ回りに回転可能に保持している。内側リング３、前側リング４、後側リング５、および、第２後側ストッパ９１はカメラ用フィルター枠１０Ｄを構成している。
【００９３】
ここで、本例のカメラ用フィルターユニット１Ｄにおいて、前側リング４が偏光フィルター２を保持する偏光フィルター２の保持構造は参考例１のカメラ用フィルターユニット１と同様である。また、後側リング５が前側リング４を軸線Ｌ回りに回転可能に保持する前側リング４の保持構造は参考例１、２のカメラ用フィルターユニット１、１Ａと同様である。従って、以下では、後側リング５が第２偏光フィルター６０を保持する保持構造を説明する。また、参考例１のカメラ用フィルターユニット１と共通する部分には、同一の符号を付して、その説明を省略する。なお、本例のカメラ用フィルターユニット１Ｄにおいて、前側リング４が偏光フィルター２を保持する偏光フィルター２の保持構造は参考例２におけるカメラ用フィルターユニット１Ａの保持構造としてもよい。
【００９４】
図７に示すように、後側リング５は、前側リング４よりも後方Ｘ２に、内周側に突出する第２環状突出部分（第２の環状突出部分、第２の前側ストッパ）９２を備える。また、後側リング５は第２環状突出部分９２の後側に厚肉部分９３と雌ネジ９４を備える。より具体的には、後側リング５の後側環状板部分４３は参考例１、２のカメラ用フィルターユ
ニット１、１Ａよりも後方Ｘ２に長く延設されており、その内周面に第２環状突出部分９２、厚肉部分９３、および、雌ネジ９４を備える。
【００９５】
第２環状突出部分９２は、環状突部４５の後方Ｘ２に離間する位置において、内周側に向かって半径方向Ｒに突出する。前後方向Ｘで環状突部４５と第２環状突出部分９２の間には前側リング４の環状突出部分２０が位置する。厚肉部分９３は第２環状突出部分９２の半径方向Ｒの途中位置から一定厚さで後方Ｘ２に延びる。第２環状突出部分９２は、厚肉部分９３の外周側に第１環状後向き面９２ａを備える。
【００９６】
厚肉部分９３は第２偏光フィルター６０を外周側から同軸に保持する後側保持部である。すなわち、厚肉部分９３の内周面は、軸線Ｌに沿って一定の径寸法で延びる環状面であり、第２偏光フィルター６０を同軸に保持する後側フィルター保持面９５である。後側フィルター保持面９５の幅寸法Ｗ２は、後側フィルター保持面９５に保持される第２偏光フィルター６０の厚さ寸法Ｄ２よりも長い。後側フィルター保持面９５の幅寸法Ｗ２と第２偏光フィルター６０の厚さ寸法Ｄ２の差分は０．０３ｍｍ以下である。
【００９７】
雌ネジ９４は厚肉部分９３の後方Ｘ２に連続して設けられている。厚肉部分９３は雌ネジ９４との間に第２環状後向き面９３ａを備える。後側リング５の後端部分の外周面（後側環状板部分４３の後端部分の外周面）には後側装着部となる雄ネジ１２が設けられている。
【００９８】
第２後側ストッパ９１はリング状である。第２後側ストッパ９１は、半径方向Ｒの高さ寸法が後側リング５の厚肉部分９３の半径方向Ｒの高さ寸法（厚肉部分９３の厚み）よりも長い。また、第２後側ストッパ９１は軸線Ｌと直交する平坦面な環状前端面９１ａを備える。第２後側ストッパ９１の外周面には、その全面に、後側リング５の雌ネジ９４と螺合可能な雄ネジ９６が形成されている。第２後側ストッパ９１は、その雄ネジ９６を後側リング５の雌ネジ９４に螺合させて、その環状前端面９１ａが厚肉部分９３の第２環状後向き面９３ａに当接するまで捩じ込まれる。第２後側ストッパ９１が厚肉部分９３に当接した状態では、第２後側ストッパ９１の内周側の端部分が後側フィルター保持面９５よりも内周側に突出する。従って、第２後側ストッパ９１は、後側フィルター保持面９５に保持された第２偏光フィルター６０の後方Ｘ２への移動を規制できる。
【００９９】
第２偏光フィルター６０を後側リング５に保持させる際には、まず、後側リング５に後方Ｘ２から第２偏光フィルター６０を挿入して、第２偏光フィルター６０を後側フィルター保持面９５に保持させる。そして、第２後側ストッパ９１を後方Ｘ２から後側リング５に捩じ込み、第２後側ストッパ９１の環状前端面９１ａを厚肉部分９３の第２環状後向き面９３ａに当接させる。これによりカメラ用フィルターユニット１Ｄは完成する。カメラ用フィルターユニット１Ｄが完成した状態では、第２偏光フィルター６０は第２後側ストッパ９１と第２環状突出部分９２との間で軸線Ｌ回りに回転可能な状態で後側リング５に保持される。ここで、第２環状突出部分９２は第２偏光フィルター６０の前方Ｘ１への移動を阻止する第２の前側ストッパとして機能する。
【０１００】
（作用効果）
本例においても、参考例１、２のカメラ用フィルターユニット１、１Ａと同様の作用効果を得ることができる。また、本例では、後側リング５に第２偏光フィルター６０を保持する。すなわち、本例では、カメラ用フィルター枠１０Ｃに２枚の光学フィルターを保持できる。さらに、後側リング５は、第２偏光フィルター６０を第２後側ストッパ９１と第２環状突出部分９２との間で軸線Ｌ回りに回転可能に保持する。従って、第２偏光フィルター６０を第２後側ストッパ９１と第２環状突出部分９２によって前後から挟持して回転不能の状態とする場合と比較して、第２偏光フィルター６０にかかるストレス（圧力）を
小さくすることができる。よって、第２偏光フィルター６０に歪みなどが発生することを防止できる。
【０１０１】
なお、後側フィルター保持面９５の幅寸法Ｗ２を第２偏光フィルター６０の厚さ寸法Ｄ２と同一としておき、第２偏光フィルター６０が第２後側ストッパ９１と第２環状突出部分９２との間で回転不能に挟持される構成を採用することもできる。また、第２後側ストッパ９１は接着剤により後側リング５の内周側に固定されていてもよい。さらに、前側リング４および後側リング５が保持する光学素子は偏光フィルターに限られるものではない。
【０１０２】
（その他の実施の形態）
上記の例では、前側リング４の後側環状板部分１９の外周面に環状溝２７を設けているが、後側環状板部分１９の内周面に環状溝を設け、環状溝が形成されている位置から後側環状板部分１９を外周側に折り曲げてもよい。また、後側環状板部分１９の内周面および外周面の半径方向Ｒから見た場合に重なる位置に環状溝を設け、これらの環状溝が形成されている位置から後側環状板部分１９を外周側に折り曲げてもよい。さらに、環状溝２７および切り欠き部２８を省略してもよい。
【０１０３】
また、前側リング４に、光学素子としてクロスフィルターを保持することもできる。さらに、前側リング４にカラーフィルターを保持し、後側リング５に偏光フィルターやクロスフィルターを保持してもよい。また、前側リング４と後側リング５のそれぞれにカラーフィルターを保持してもよい。
【図１】
2018005255.tif 000003
【図２】
2018005255.tif 000004
【図３】
2018005255.tif 000005
【図４】
2018005255.tif 000006
【図５】
2018005255.tif 000007
【図６】
2018005255.tif 000008
【図７】
2018005255.tif 000009